(57)【要約】      （修正有）【課題】介護者に大変に負担を強いている介護される人を車椅子とベット間の移動を解決する。【解決手段】介護される人を座った状態に仰向けで脚が上がる状態に移行する機能を設けたことを特徴とする車椅子である。ベット上部１にパイプが収まるベットの溝を設ける、背もたれを倒すことで背もたれのシートは、ベットを覆い、背もたれのパイプ７は、ベットの溝におさまる。車椅子３に座った状態からベットで仰向けで脚が上がる状態に移行できる。車椅子３にベット下部５を取り付けた後、その脚を下ろすことで車椅子に座った状態がベットで寝ている状態にできることを特徴とすることで介護者が介護される人を抱いて車椅子とベットを移動する作業を無くすことができる。【選択図】図２−２
2010274073.tif 000002
【特許請求の範囲】
【請求項１】
座った状態に仰向けで脚が上がる状態に移行することを特徴とする車椅子
【発明の詳細な説明】
【技術分野】
【０００１】  本発明は、車椅子とベットに関するものであり車椅子の形状に工夫を設ける
【背景技術】
【０００２】  従来から車椅子は、ベットの近くまで寄せるまでのものであり、別々に利用されている。
【発明の開示】
【発明が解決しようとする課題】
【０００３】  従来のように車椅子とベットの間を介護者が介護される人を抱いて移動させることは、介護される人の体重で介護者の体力に大変な負担をかけ非常に重労働である。
本発明は、このような介護者に大変に負担を強いている介護される人を車椅子とベットの間を抱いて移動することを無くすこと課題とする。
【課題を解決するための手段】
【０００４】  この課題を解決するための請求項１の発明は、介護される人を座った状態に仰向けで脚が上がる状態に移行する機能を設けたことを特徴とする車椅子である。ベット上部１に車椅子のハンドル９と背もたれのパイプ７が収まる溝６を設ける。車椅子の背もたれ２を倒すことで背もたれのシート２３は、ベットを覆い、背もたれのパイプ７は、ベットの溝６におさまる。車椅子に座った状態からベットで仰向けで脚が上がる状態に移行できる。車椅子３にベット下部５を取り付けた後、その脚を下ろすことで車椅子に座った状態がベットで寝ているに状態にできることを特徴とすることで介護者が介護される人を抱いて車椅子とベットを移動する作業を無くすことができる。
【実施例】
【０００５】  ベット上部１にフック２０を設けて車椅子３の支点部位１９を接続する。その支点を基準に梃子の原理を利用することで上半身の背もたれのパイプ７を倒したり起こしたりする際、下半身の足置きのパイプ８が、上がったり下がったりすることができる、少しの力で座った状態に仰向けで脚が上がる状態に移行できる。それでも移行していくのに負担が大きい場合は、圧力ポンプ１８を用いて補助させてもよい。移行していく際中、介護される人の形態は、変わらず移行できる。ベット上部１に車椅子のハンドル９とパイプがおさまる溝６を設けることで背もたれのパイプ７を収めることができる。ただし、車椅子３の幅よりベット上部１が小さければ、溝を設けなくてもよい。車椅子３の足置き４に足を固定させるベルト１６設けて座った状態と仰向けで脚が上がる状態に移行する際、足のふらつきを防止できる。ベットに移行した後、ベット下部５にも溝を設けて背もたれのパイプ７と足置きのパイプ８を切り離せばベット上部１にもベット下部５にもどちらにも両方おさめることもできる。ベットに移行した後は、足置きパイプ８を取り外してもよい。背もたれシート２３に取替えのできるシーツ１７を取り付け、ベットに倒して背もたれの幅だけベットを覆いベットのシーツとして利用できる。車椅子のグリップ１０と足置き４にハンモックを取り付けて仰向けの状態に移行すれば、ハンモックで寝ている状態になる。車椅子のグリップ１０とベット上部１と固定するための止め金２１を設ける。車椅子の座椅子シート１５は、フックを設け足置きパイプ８と取り外しができる。ベットの形状は、正方形、長方形、丸型でもどんな形でもよい。車椅子３を車輪止め２２で固定すると、仰向きで脚が上がる状態に移行することができる。ベットと同じ高さの台や手すりなどしっかりした横にした棒に車椅子のグリップ１０を固定すれば、又背もたれのパイプ７に収納できるベットの高さの足の棒２４を設ければ、ベットで脚をあげて寝ているベットになる。また人を運んで移動できるものであれば座った状態に仰向けで脚が上がる状態に移行する機能をつければよい。
【発明の効果】
【０００６】  本発明により介護者の負担が非常に重労働であった介護される人を抱いて移動する作業を無くすことができる。車椅子にベットの部位は、取り付けないので軽量である。車椅子の背もたれをベットに倒すだけで介護される人を車椅子からベットに移動できる。また背もたれを起こすだけでベットから車椅子に移動できる。仰向きで脚を上げた状態に移行することで、おむつの交換などの下の世話もしやすくなり、座薬をいれるなど下半身を扱う作業が、大変便利になる。また脚を曲げた状態で上がるので開脚は、広くなる。梃子の原理を利用することで力の弱い介護者でも車椅子とベットにしやすくなる。さらに圧力ポンプの補助を使えばより負担は、軽減できる。ベットの状態で足置きのパイプは、上がったままなので手すりとして利用できる。布団の滑り止めにも利用できる。必要のないときは、取り外しができる。車椅子の背もたれに取り外し可能なシーツをつければ座った状態にできるのでシーツの取替えもしやすくなる。ベットは、背もたれのパイプをおさめることができるので、平坦になる。介護される人が、車椅子に座っている状態のまま仰向けで脚が上がる状態に移行するので、介護される人の形態が変わらない。すなわち、介護される人が、介護者をできるだけつかんで移動している体力的な負担が、大幅に軽減できる。どこでも車椅子の車輪を固定すれば、仰向きで脚が上がる状態になる。さらにどこでも背もたれのパイプから足の棒を取り出せば、ベットで脚を上げて寝ているベットになる。日常生活で介護される人が寝たきりの状態の頻度は、軽減されることにより床ずれ防止にも役立つ、車椅子のグリップと足置きにハンモックを取り付ければ、暑いときなどすごしやすくなる。入浴する機会も増えることによって衛生面も向上できる。また室内空間に閉じ込めがちだったことが、外出の機会も増え介護される人が癒される。車椅子とベットの間を抱き上げて移動させていたこと自体がなくなったことにより介護者も介護される人も両方の利点が増える。
【発明を実施するための最良の形態】
【０００７】  図１は、座った状態に仰向きで脚が上がる状態に移行すること特徴とする、車椅子である。同図が示すように背もたれ２から足置き４まで一体で可動することを設けたことを特徴とする車椅子３。ベットに背もたれのパイプ７だけをおさめる幅の溝を設けたベット上部１、ベット下部５を設けたことを特徴とする。車椅子３の支点部位１９を基準に梃子の原理と圧力ポンプ１８を用いて座る状態に仰向きで脚が上がる状態に移行することができる。車椅子３とベット上部１を接続させ背もたれ２と共に上半身をベット上部１に倒すその際、背もたれのパイプ７をベット上部１のベットの溝６に入れる。背もたれ２が倒れたことで梃子の原理を利用して足置き４と共に下半身が持ち上がり脚が上がった状態となる。ベット下部５を取り付けた後、足置き４から脚を下ろすことで車椅子に座った状態がベットで寝ているに状態にできることを特徴とすることで介護者が介護される人を抱いて車椅子とベットを移動する作業を無くすことができる。ベットから車椅子にするのは、この逆とする。このように介護者が全体重を抱き上げていた作業は、なくなり車椅子とベットに移行できる車椅子移行式ベットである。【０００８】  図２は、車椅子からベットに移行する工程の斜視図
第１図  ベット上部１、車椅子３に座った状態、ベット下部５、
第２図  車椅子３を取り付け、ベット上部１に倒し仰向けで脚が上がる状態、とベット下部５。
第３図  ベット下部５を取り付けベットに寝ている状態。【０００９】  これらの車椅子、ベットに係る材料は、アルミ、ステンレス、鉄、木材など通常のものでよい。
【産業上の利用可能性】
【００１０】  本発明に係る車椅子は、工業的に生産することが可能であるため、産業上の利用可能性を有する。
【図面の簡単な説明】
【００１１】
【図１】車椅子の支点部位１９を基準に梃子の原理を利用して座る状態に仰向きで脚が上がる状態に移行することができる。車椅子のベット上部１を接続させ背もたれ２と共に上半身をベット上部１に倒す、背もたれのパイプ７をベット上部１の溝６に入れる。背もたれ２が倒れたことで梃子の原理を利用して足置き４と共に下半身が持ち上がり脚が上がった状態となる。ベット下部５を取り付け足置き４から脚を下ろす。ベットから車椅子にするのは、この逆とする。車椅子とベットに移行できる車椅子移行式ベットの斜視図である。
【００１２】
【図２】車椅子からベットに移行する工程の斜視図である。  第１図  ベット上部１、車椅子３に座った状態、ベット下部５、  第２図  車椅子３を取り付け、ベット上部１に倒し仰向けで脚が上がる状態、とベット下部５。  第３図  ベット下部５を取り付けベットに寝ている状態。
【符号の説明】
【００１３】  １  ベット上部
２  背もたれ
３  車椅子
４  足置き
５  ベット下部
６  ベットの溝
７  背もたれのパイプ
８  足置きのパイプ
９  車椅子のハンドル
１０  車椅子のグリップ
１１  車輪Ａ
１２  車輪Ｂ
１３  車輪Ｃ
１４  車輪Ｄ
１５  車椅子の座椅子シート
１６  足置きベルト
１７  取替えのできるシーツ
１８  圧力ポンプ
１９  支点部位
２０  ベットのフック
２１  止め金
２２  車輪止め
２３  背もたれのシート
２４  足の棒
【図１】
2010274073.tif 000003
【図２−１】
2010274073.tif 000004
【図２−２】
2010274073.tif 000005
【図２−３】
2010274073.tif 000006